(57)【要約】【課題】画像形成装置やその周辺機器等の各種機器が内蔵するモータ等の巻線使用部品毎の使用状況をそれぞれ機器自身に記憶させておき、リサイクル時にその記憶データを活用できるようにする。【解決手段】電源投入後、ＣＰＵ１はタイマを起動し、タイマの割り込み毎にモータ２やソレノイド３等の巻線使用部品が動作しているかどうかを判断し、動作していれば経過時間をメモリ４へ転送する。例えば、１秒毎に割り込みが発生すれば、１秒ずつ累積の起動時間をメモリ４に加算していく。例えばモータ２を回転させた時に保存するデータとして、例えばモータ回転数が０〜１０００ｐｐｓの間は何分駆動しているかがわかるようにする。１００１ｐｐｓ以上の駆動時間も記憶を蓄積する。各種メカトロ部品の使用状況が後から確認でき、あまり使用されていなかった部品や製品を特定でき、リサイクル使用の可否判別が容易になる。【選択図】図１
2007331317.tif 000002
【特許請求の範囲】
【請求項１】
モータ等の巻線使用部品を一以上利用してなる機器であって、前記巻線使用部品毎の実使用情報を記憶保持する素子や回路等の記憶手段を前記機器の制御回路や制御装置等の制御手段に備え、前記機器制御用の通信信号を共用して前記記憶手段から前記巻線使用部品についての前記実使用情報を引き出し得るようにしてなることを特徴とする機器。
【請求項２】
請求項１の機器において、電源投入後、該機器内部でいずれか一つ以上の巻線使用部品が動作していた場合、該動作のための総通電時間を前記記憶手段に記憶及び加算することを特徴とする機器。
【請求項３】
請求項１の機器において、電源投入後、該機器内部で複数の前記巻線使用部品が動作しているとき、それら巻線使用部品それぞれについて、独立したスピード、動作時間を、前記記憶手段に記憶及び加算することを特徴とする機器。
【請求項４】
請求項１の機器において、電源投入後、モータ以外の前記巻線使用部品のそれぞれ独立した駆動回数を、前記記憶手段に記憶及び加算することを特徴とする機器。
【請求項５】
請求項１の機器において、電源投入後、該機器内部でいずれか一つ以上の巻線使用部品が動作していた場合、該動作のための総通電時間を前記記憶手段に記憶及び加算し、また該機器内部で複数の前記巻線使用部品が動作しているとき、それら巻線使用部品それぞれについて、独立したスピード、動作時間を、前記記憶手段に記憶及び加算し、またモータ以外の前記巻線使用部品のそれぞれ独立した駆動回数を、前記記憶手段に記憶及び加算するものであって、これら記憶及び加算する情報を、前記記憶手段の全て独立した２箇所以上の記憶領域に書き込むことを特徴とする機器。
【請求項６】
請求項１から５のいずれかの機器が用紙等の物品の自動搬送を行うものであることを特徴とする自動搬送装置。
【請求項７】
請求項６の自動搬送装置を用いてなることを特徴とする複写機や印刷機等の画像形成装置。
【発明の詳細な説明】
【技術分野】
【０００１】
本発明は、複写機や印刷機等の画像形成装置の周辺機器、特に自動搬送装置として用いられる機器に関し、詳細にはモータ等の巻線使用部品の再利用、リサイクルを図るために利用可能な技術に関する。
【背景技術】
【０００２】
複写機や印刷機等の画像形成装置については、従来は機械全体や、自動搬送装置等の周辺機器の使用頻度程度しか把握できないのが現状である。特にモータ等の巻線使用部品、換言すれば各種メカトロ部品は、その使用状況が確認できないため、リサイクル使用の可否判断が難しく、あまりリサイクルされていなかった。
【０００３】
【特許文献１】特開2005-339167号公報
【発明の開示】
【発明が解決しようとする課題】
【０００４】
本発明は、上述した従来の問題点にかんがみ、画像形成装置やその周辺機器等の各種機器が内蔵するモータ等の巻線使用部品毎の使用状況を、巻線使用部品毎にそれぞれ単独で機器自身に記憶させておき、リサイクル時にその記憶データを活用できるようにすることで、部品の再利用化を進め、環境保全に役立てるようにすることを目的とする。
【課題を解決するための手段】
【０００５】
本発明に係る機器は、モータ等の巻線使用部品を一以上利用してなる機器であって、前記巻線使用部品毎の実使用情報を記憶保持する素子や回路等の記憶手段を前記機器の制御回路や制御装置等の制御手段に備え、前記機器制御用の通信信号を共用して前記記憶手段から前記巻線使用部品についての前記実使用情報を引き出し得るようにしてなることを特徴とする。もちろん巻線使用部品はモータには限定されない。また対象とする機器には、機器自身が動作を行うものも、行わないものも含む。記憶手段は、適宜公知のメモリを用いることができるが、どのような記憶手段であっても採用は可能である。また記憶する情報である実使用情報には、使用に関わるすべての、あるいは各種の情報が含まれる。さらに制御手段としては、チップ化されているもの、非チップ化のもの等々種々のものを採用できる。
【０００６】
本発明の請求項２に係る機器は、請求項１の機器において、電源投入後、該機器内部でいずれか一つ以上の巻線使用部品が動作していた場合、該動作のための総通電時間を前記記憶手段に記憶及び加算することを特徴とする。
【０００７】
本発明の請求項３に係る機器は、請求項１の機器において、電源投入後、該機器内部で複数の前記巻線使用部品が動作しているとき、それら巻線使用部品それぞれについて、独立したスピード、動作時間を、前記記憶手段に記憶及び加算することを特徴とする。
【０００８】
本発明の請求項４に係る機器は、請求項１の機器において、電源投入後、モータ以外の前記巻線使用部品のそれぞれ独立した駆動回数を、前記記憶手段に記憶及び加算することを特徴とする。
【０００９】
本発明の請求項５に係る機器は、請求項１の機器において、電源投入後、該機器内部でいずれか一つ以上の巻線使用部品が動作していた場合、該動作のための総通電時間を前記記憶手段に記憶及び加算し、また該機器内部で複数の前記巻線使用部品が動作しているとき、それら巻線使用部品それぞれについて、独立したスピード、動作時間を、前記記憶手段に記憶及び加算し、またモータ以外の前記巻線使用部品のそれぞれ独立した駆動回数を、前記記憶手段に記憶及び加算するものであって、これら記憶及び加算する情報を、前記記憶手段の全て独立した２箇所以上の記憶領域に書き込むことを特徴とする。
【００１０】
そして本発明の自動搬送装置は、請求項１から５のいずれかの機器であって、用紙等の物品の自動搬送を行うものであることを特徴とする。
【００１１】
また本発明の複写機や印刷機等の画像形成装置は、請求項６の自動搬送装置を用いてなることを特徴とする。
【発明の効果】
【００１２】
本発明は、モータ等の巻線使用部品、すなわちメカトロ部品等と称される各種部品の使用状況が使用後に確認でき、それによって殆ど使用されていなかった部品等の特定ができ、それらをリサイクル使用できるものと判断し、かつ実際にリサイクル品として再利用する判断が容易に行えるようになる。
【発明を実施するための最良の形態】
【００１３】
以下本発明を実施するための最良の形態を、図に示す実施例を参照して説明する。
【実施例１】
【００１４】
図１は本発明に係る機器、具体的には、外観は図示を省略したが用紙等の自動搬送装置の全体ブロック図である。図中１は自動搬送装置全体を制御するためのプロセッサ（ＣＰＵ）で、図中２で示すモータを回転させたり、ソレノイド３の巻線類を駆動させたりする制御が行える制御手段となっている。
【００１５】
図中４は記憶素子で、図示の例ではバックアップに電源を必要としない、書き込み可能なＥ−Ｓｑｕａｒｅ  Ｐ−ＲＯＭとしてあるが、もちろん本発明はこれに限定されず、種々の記憶素子、記憶装置でも採用できる。もちろん記憶方法もどのような方法でもよい。図示の例では、ＣＰＵ１は、記憶素子４に対して自由に書き込み、読み込みが可能としている。図中５、６は、周辺機器装置が接続されるユニット（例えば、複写機やプリンター等）である。図示の例ではユニット５は識別コードＡにより、ユニット６は識別コードＢにより、ＣＰＵ１が識別できるようにしてある。
【００１６】
図２により本実施例の動作を説明する。まず電源投入後（ステップ１）、ＣＰＵ１は内部の図示しないタイマを起動し、タイマの割り込み（ステップ２）毎に巻線使用部品（以下、巻線類という）が動作しているかどうかを判断し（ステップ３）、動作していれば経過時間をメモリ４へ転送する（ステップ４）。例えば、１秒毎に割り込みが発生すれば、１秒ずつ累積の起動時間をメモリ４に加算していく。タイマの割り込みが細かい等の理由により、割り込み毎に時間の加算が難しい場合は、数回に１回だけカウントする等して間引いて加算してもよい。また時間としてカウントしても、回数としてカウントしても、最終的に通電されていた時間が判れば、どのようなデータ形式でも構わない。
【００１７】
図３は、モータ２を回転させた時に保存するデータの一例を示す図である。この例では、例えばモータ回転数が０〜１０００ｐｐｓの間は１６進数で“Ａ０分”（＝１０進で１６０分）駆動していることがわかる。この例は各メモリアドレスに時間で記憶する例を表しているが、最終的な駆動時間が判れば回数等のデータでも構わないことは記述の通りである。同様に１００１ｐｐｓ以上の駆動時間も蓄積されていることが判る。これらのデータは、モータ２の１個につきデータベースを１個対応させるようにしても、あるいはその他の方法でも必要に応じてシステムを構築できるものであれば構わない。
【００１８】
図４はさらに具体的な動作例を表す図である。モータ２が起動すると（ステップ１）、ＣＰＵ１はタイマを起動（ステップ２）、モータ２の回転時間をメモリ４の図３に示すような記憶領域（図示の例ではＣ１０００）に書き込んで記憶データを更新していく。これはタイマの割り込み毎に、回転数に合わせた領域の時間データ更新として（図示の例ではＣ１０００＝Ｃ１０００＋１とインクリメントするようになっているが、この例には限定されない）、モータが停止するまで続く（ステップ３、４、５）。これによって、例えば各モータ２がどの様な条件で、どの程度回っていたかが判るようになる。
【００１９】
図５は、モータ２以外の巻線類の駆動回数を記憶した、メモリ４の領域内容を示す図である。この図では、１０進表示でソレノイドＡが１００１回動作していること等々を示している。
【００２０】
図６は具体的なカウント例を示す。ＣＰＵ１がソレノイドＡ（図１ではソレノイドは１個のみ示すが、図５に示すように複数個あるものとして説明する）を駆動した場合（ステップ１）、メモリ４の記憶領域のアドレスＭ００１を１カウントアップし（ステップ２）、トータルの動作回数を蓄積していく。
【００２１】
図７は、図５の応用例を示したものである。ここでは駆動回数を扱う場合で説明するが、もちろん他のデータを扱っても良い。図５の例の場合、データの書き込み中に電源が切られた場合、累積したデータがいわゆるデータ化けを起してしまう怖れがある。そこで図７の例では、同じデータの書き込み領域を複数個持たせてある。
【００２２】
図８が、図７の例の実際の動作フロー図である。例として、ソレノイドＡを駆動した場合を挙げるが、もちろんそれ以外でも同様である。ソレノイドＡを駆動した時（ステップ１）、図５の場合と同様にメモリアドレスＭ００１を更新するが、その前に書き込みが完了したことを示すフラグ（書き込みチェック）を“０”にしておく（ステップ２）。データ更新後、フラグを“１”にする（ステップ３）ことにより、正常に書換えたことが判る（ステップ４）。その後、全く同じデータを別領域（メモリアドレスＮ００１）にも書き込むようにする（ステップ５〜７）。このようにすることで、基本的には絶えず同じデータ（駆動回数についてのデータ）がメモリ４内の２箇所に存在することになる。図７に示すのは、ソレノイドＢについて書き込みに失敗している例である。すなわち、メモリアドレスＭ００２は書き込みチェックが“０”となっているため、前回書き込みが不良であったことを示している。この場合は、書き込みチェックが“１”となっているＮ００２が最後に書き込まれた正常データであるから、メモリアドレスＭ００２をメモリアドレスＮ００２のデータで上書きをすることにより、データ復旧が可能となっている。
【００２３】
すなわち、各種メカトロ部品の使用状況が後から確認でき、あまり使用されていなかった部品や製品を特定でき、リサイクル使用の可否判別が容易になる。機器の総通電時間が判るようにすれば、機器そのものが使用されていた時間等が判り、通電時間によって影響される部品のリサイクル使用可否を容易に確認できる。またモータ等の巻線使用部品１個１個の使用条件、使用時間が判るので、これもリサイクル使用の可否判断の容易さを向上させ得る。さらに、各種巻線使用部品の駆動回数が判れば、リサイクル使用できるレベルの使用状況だったかどうかが確認できる。またさらに、データの保存を２箇所以上に複製して行えば、そのチェックデータを付けることで、データ書き込み中の電源オフに対しても累積情報が消えてしまわないため、リサイクル使用が可能かどうかに係るデータの信頼性が飛躍的に向上する。
【図面の簡単な説明】
【００２４】
【図１】本発明に係る機器である自動搬送装置の全体ブロック図
【図２】本発明の第１実施例の動作を説明するフロー図
【図３】本発明の第１実施例でモータを回転させた時に保存するデータの一例を示す図
【図４】本発明の第１実施例のさらに具体的な動作を説明するフロー図
【図５】モータ以外の巻線使用部品の駆動回数を記憶したメモリの領域内容例を示す図
【図６】図５のメモリ内容を構築するための具体的なカウント例を示す図
【図７】図５の応用例を示す図
【図８】図７の例の実際の動作フロー図
【符号の説明】
【００２５】
１  プロセッサ（ＣＰＵ）
２  モータ
３  ソレノイド
４  記憶素子
５、６  周辺機器装置が接続されるユニット
【図１】
2007331317.tif 000003
【図２】
2007331317.tif 000004
【図３】
2007331317.tif 000005
【図４】
2007331317.tif 000006
【図５】
2007331317.tif 000007
【図６】
2007331317.tif 000008
【図７】
2007331317.tif 000009
【図８】
2007331317.tif 000010